(57)【要約】      （修正有）【課題】指に装着した状態で筆記用具を確実にホールドでき、しかも構造がシンプルで書き易い指装着用筆記用具ホルダーを提供する。【解決手段】指に装着した状態で筆記用具をホールドするための指装着用筆記用具ホルダーＡであって、指挿入穴Ｈ１，Ｈ２を有する第１指用ループ部１及び第２指用ループ部２と、筆記用具挿入穴Ｈ３を有する筆記用具用ループ部３とを備え、これら第１指用ループ部１、第２指用ループ部２、及び筆記用具用ループ部３が伸縮性を有する。【選択図】図１
0003180938.tif 000002
【実用新案登録請求の範囲】
【請求項１】
指に装着した状態で筆記用具をホールドするための指装着用筆記用具ホルダーであって、指挿入穴を有する第１指用ループ部及び第２指用ループ部と、筆記用具挿入穴を有する筆記用具用ループ部とを備え、これら第１指用ループ部、第２指用ループ部、及び筆記用具用ループ部が伸縮性を有することを特徴とする指装着用筆記用具ホルダー。
【請求項２】
筆記用具用ループ部が第１指用ループ部と第２指用ループ部との間に備わっていることを特徴とする請求項１記載の指装着用筆記用具ホルダー。
【請求項３】
第１指用ループ部、第２指用ループ部、及び筆記用具用ループ部が伸縮性を有するエンドレスな細幅ベルトよりなることを特徴とする請求項１、又は２記載の指装着用筆記用具ホルダー。    
【請求項４】
第１指用ループ部、第２指用ループ部、及び筆記用具用ループ部のそれぞれの根元部にて結合した状態となっていることを特徴とする請求項３記載の指装着用筆記用具ホルダー。
【請求項５】
第１指用ループ部、第２指用ループ部、及び筆記用具用ループ部のそれぞれの根元部にて縫合又は接着剤により結合した状態となっていることを特徴とする請求項３記載の指装着用筆記用具ホルダー。
【請求項６】
細幅ベルトの少なくとも一部に装飾が施されていることを特徴とする請求項３記載の指装着用筆記用具ホルダー。
【考案の詳細な説明】
【技術分野】
【０００１】
本考案は、筆記用具を握り易くするための指装着用筆記用具ホルダーに関し、更に詳しくは、指に装着した状態で筆記用具を確実にホールドでき、しかも字が書き易い指装着用筆記用具ホルダーに関する。
【背景技術】
【０００２】
通常、紙等に字を書く際に筆記用具を使用する。
しかし筆記用具は一般に細長い棒状のものなので握る力が弱いと筆記用具をしっかりと指で保持できない。
そのため字を書くだけの筆圧が保てず上手に書けない。
筆記用具を手全体で無理矢理握ると、今度は逆に紙面に対する筆圧が極端に強くなり字が書けないこととなる。
特に握力が極端に細った老人や、手が麻痺しているような人は、そもそも棒状の筆記用具を握ることが困難である。
このようなことから、字を書くときに使う補助器具やホルダーが種々開発されている。
【０００３】
例えば、特許文献１には、指孔と把持物孔と両者を連結する連結部を有する自立支援補助具が開示されている。
これは指孔に親指或いは人差し指を通し、把持物孔には、鉛筆等を通して手に取り付けるものである。
しかし、指孔が一つしかないので、書く場合に、指を一本しか装着できず自立支援補助具自体が不安定となる。
【０００４】
また特許文献２には、馬蹄形をした器具を手の平の部分に挟み付けるように固定し、取り付け装置に筆記用具を装着して使用する用具が記載されている。
これも確かに手に装着し易いが、書いている途中で用具自体が外れ易い。
また取り付け装置自体が自由に動き易く安定しない。
【０００５】
更にまた特許文献３には、ホルダー部と環状バンドよりなるペンホルダーが記載されている。
これは一本の環状バンドを２本の指に挿入して使用するものであるが、ホルダー部が滑って指の回りを回動し易く、書く場合、やはりペンホルダーが安定しない。
またホルダー部から環状バンドが外れ易い欠点もある。
【０００６】
更にまた、特許文献４には、保持台座部と伸縮性のバンドよりなる筆記用保持具が記載されている。
これも環状バンドを手の平に装着するものであり、筆記用具を保持するための保持台座部が安定しない。
また手の平に圧迫感を与える。
そして上記特許文献２〜４のホルダーや保持具は、複数の部品からなるため構造がシンプルでなく、製造コストも嵩む。
【先行技術文献】
【特許文献】
【０００７】
【特許文献１】特開２０１１−１７５０７３号公報
【特許文献２】特開平１０−１１９４８７号公報
【特許文献３】特開２００９−１７９０５４号公報
【特許文献４】特開２００６−２２４６４９号公報
【考案の概要】
【考案が解決しようとする課題】
【０００８】
本考案は、このような背景の問題点を解決するためになされたものである。
すなわち、本考案の目的は、指に装着した状態で筆記用具を確実にホールドでき、しかも構造がシンプルで書き易い指装着用筆記用具ホルダーを提供することである。
【課題を解決するための手段】
【０００９】
上記課題を解決するために、鋭意、研究した結果、２本の指に装着した状態で１本の筆記用具を同時にホールドすることで、筆記用具が安定的にホールドできることを見出し、この知見に基づいて本考案に考えが至ったものである。
【００１０】
即ち、本考案は、（１）、指に装着した状態で筆記用具Ｐをホールドするための指装着用筆記用具ホルダーＡであって、指挿入穴Ｈ１，Ｈ２を有する第１指用ループ部１及び第２指用ループ部２と、筆記用具挿入穴Ｈ３を有する筆記用具用ループ部３とを備え、これら第１指用ループ部１、第２指用ループ部２、及び筆記用具用ループ部３が伸縮性を有する指装着用筆記用具ホルダーＡに存する。
【００１１】
本考案は、（２）、筆記用具用ループ部３が第１指用ループ部１と第２指用ループ部２との間に備わっている上記（１）記載の指装着用筆記用具ホルダーＡに存する。
【００１２】
本考案は、（３）、第１指用ループ部１、第２指用ループ部２、及び筆記用具用ループ部３が伸縮性を有するエンドレスな細幅ベルトよりなる上記（１）、又は（２）記載の指装着用筆記用具ホルダーＡに存する。
【００１３】
本考案は、（４）、第１指用ループ部１、第２指用ループ部２、及び筆記用具用ループ部３のそれぞれの根元部にて結合した状態となっている上記（３）記載の指装着用筆記用具ホルダーＡに存する。
【００１４】
本考案は、（５）、第１指用ループ部１、第２指用ループ部２、及び筆記用具用ループ部３のそれぞれの根元部にて縫合又は接着剤により結合した状態となっている上記（３）記載の指装着用筆記用具ホルダーＡに存する。
【００１５】
本考案は、（６）、細幅ベルトの少なくとも一部に装飾が施されている上記（３）記載の指装着用筆記用具ホルダーＡに存する。
【００１６】
なお、本考案の目的に沿ったものであれば上記（１）〜（６）を適宜組み合わせた構成も採用可能である。
【考案の効果】
【００１７】
本考案の指装着用筆記用具ホルダーＡは、指挿入穴Ｈ１，Ｈ２を有する第１指用ループ部１及び第２指用ループ部２と、筆記用具挿入穴Ｈ３を有する筆記用具用ループ部３とを備え、これら第１指用ループ部１、第２指用ループ部２、及び筆記用具用ループ部３が伸縮性を有するものなので、２本の指に装着した状態で筆記用具を確実に弾圧的にホールドでき扱い易く、そのため字が書き易い。
しかも構造がシンプルであって、製造コストも安い。
【図面の簡単な説明】
【００１８】
【図１】図１は、本願考案の指装着用筆記用具ホルダーの実施の形態を示す図であり、（Ａ）は、正面図、（Ｂ）は、側面図であり、（Ｂ）は、斜視図である。
【図２】図２は、第１指用ループ部、第２指用ループ部及び筆記用具用ループ部がそれぞれ拡張した状態を模式的に説明する図である。
【図３】図３は、指装着用筆記用具ホルダーを変形させた状態を示す。
【図４】図４は、本願考案の指装着用筆記用具ホルダーに対する指の入れ方を示す図である。
【図５】図５は、指装着用筆記用具ホルダーを指に装着した状態を示す図である。
【図６】図６は、筆記用具用ループ部を第１指用ループ部及び第２指用ループ部より下にした状態を示す。
【図７】図７は、指装着用筆記用具ホルダーを指に装着した状態を示す別の例の図である。
【図８】図８は、筆記用具用ループ部に装飾であるリボンを付けた例を示す。
【図９】図９は、第１指用ループ部、第２指用ループ部、及び筆記用具用ループ部の根元部付近の結合状態を示す図である。
【考案を実施するための形態】
【００１９】
以下、本考案を実施するための最良の形態を図面を用いて説明する。
（第１の実施の形態）
本願考案の指装着用筆記用具ホルダーＡは、筆記用具Ｐを弾圧的にホールドし易い。
また構造がシンプルで軽い。
しかも身体に当たっても柔軟であるので使用中に指にソフトに当接する。
【００２０】
図１は、本願考案の指装着用筆記用具ホルダーＡの実施の形態を示す図であり、（Ａ）は、正面図、（Ｂ）は、側面図、及び（Ｂ）は、斜視図である。
本考案の指装着用筆記用具ホルダーＡは、手（詳しくは指）に装着した状態で筆記用具をホールドするための指装着用筆記用具ホルダーＡである。
この指装着用筆記用具ホルダーＡは、図１に示すように、主として、指挿入穴を有する第１指用ループ部１及び第２指用ループ部２と、筆記用具挿入穴Ｈ３を有する筆記用具用ループ部３とを備え、第１指用ループ部１と第２指用ループ部２との間に筆記用具用ループ部３が備わっている。
これら第１指用ループ部１、第２指用ループ部２、及び筆記用具用ループ部３は、それぞれ伸縮性を有する。
【００２１】
具体的には、第１指用ループ部１、第２指用ループ部２、及び筆記用具用ループ部３は、伸縮性を有するエンドレスな細幅ベルトにより形成されている。
この場合、エンドレスな細幅ベルトをたぐり寄せて、ループ（輪）を３つ作り、その根元部にて糸で縫合することにより、その３つのループ部が共通に結束（結合）された状態となる。
もっとも接着剤で接着固定することにより固定しても良い。
このように第１指用ループ部１、第２指用ループ部２、及び筆記用具用ループ部３のそれぞれが一部で相互に結合した状態となる（図１（Ａ）参照）。
【００２２】
伸縮性を有するエンドレスな細幅ベルトにより形成されたこれら第１指用ループ部１、第２指用ループ部２、及び筆記用具用ループ部３は、柔軟性があるため、図２（Ａ）や図２（Ｂ）に示すように、変形が可能である。
１本のエンドレスな細幅ベルトの一部を結合するだけで指装着用筆記用具ホルダー全体が形成されるので、構造も極めてシンプルである。
また構造が簡単であるため製造コストも当然安い。
また、幅を有する細幅ベルトを使って形成されているので、線材と違って一定の面積があり親指Ｆ１や人差し指Ｆ２との摩擦力が生じる結果、保持力が十分担保される。
【００２３】
第１指用ループ部１には、親指Ｆ１を挿入する穴（指挿入穴Ｈ１）を有し、また第２指用ループ部２には、人差し指Ｆ２を挿入する穴（指挿入穴Ｈ２）を有し、筆記用具用ループ部３は、鉛筆、ボールペン、万年筆等の筆記用具Ｐを挿入する穴（筆記用具挿入穴Ｈ３）を有する。
通常、親指Ｆ１は、人差し指Ｆ２より太いので、第１指用ループ部１は、第２指用ループ部２より大きくする（すなわち径を大きくする）ことが好ましい。
【００２４】
また、一般に、鉛筆、ボールペン、万年筆等の筆記用具Ｐは親指Ｆ１や人差し指Ｆ２より細いので、第１指用ループ部１や第２指用ループ部２より、筆記用具用ループ部３が小さい方（すなわち径を小さくする）が好ましい。すなわち、第１指用ループ部１より第２指用ループ部２が小さく、該第２指用ループ部２より筆記用具用ループ部３が小さい。
【００２５】
また、第１指用ループ部１、第２指用ループ部２、及び筆記用具用ループ部３は、それぞれ伸縮性（弾性）を有するので、太さは同じでも伸縮性（弾性）の度合いによって、指や筆記用具の保持力を調整してもよい。
第１指用ループ部１、第２指用ループ部２、及び筆記用具用ループ部３に指或いは鉛筆を装着すると、図３の一点鎖線で示すように、少し拡張し、その結果、弾圧力が高まり、指或いは鉛筆を確実に保持することができる。
【００２６】
（第１使用態様）
以上、説明した指装着用筆記用具ホルダーＡは、指に装着し筆記用具Ｐを取り付けて使用するものであるが、次にその具体的な使用態様を説明する。
図４は、本願考案の指装着用筆記用具ホルダーＡに対する指の入れ方を示す図である。
図５は、この指装着用筆記用具ホルダーＡを指に装着した状態を示す図である。
【００２７】
このように装着するには、まず、親指Ｆ１を第１指用ループ部１の指挿入穴Ｈ１に通し、また人差し指Ｆ２を第２指用ループ部２の指挿入穴Ｈ２に通し、それぞれ押し入れる。
これで指装着用筆記用具ホルダーＡが手の指に確実に装着された状態となる。
この状態では親指Ｆ１と人差し指Ｆ２の両指が、弾圧的に互いに接近するように作用する。
この場合、筆記用具用ループ部３は第１指用ループ部１と第２指用ループ部２の間に位置する、すなわち筆記用具用ループ部３が親指Ｆ１と人差し指Ｆ２とが交差するマタの部分に位置する。
この状態で、筆記用具Ｐ、例えば鉛筆を筆記用具用ループ部３の筆記用具挿入穴Ｈ３に押し入れる。
親指Ｆ１は第１指用ループ部１で、また人差し指Ｆ２は第２指用ループ部２で弾圧的に保持され、筆記用具Ｐも筆記用具用ループ部３で弾圧的に保持される。
これで指装着用筆記用具ホルダーＡの装着は全て終了することとなる。
【００２８】
この状態で紙において字を書くのであるが、筆記用具Ｐは親指Ｆ１と人差し指Ｆ２のマタの部分に位置決めされて保持される。
従って、健常者が通常行うように、筆記用具Ｐを中指と親指Ｆ１と人差し指Ｆ２で容易に摘むことができ、力が弱くても確実に鉛筆を保持できるのである。
更に指装着用筆記用具ホルダーＡを装着して字を書く場合、鉛筆を親指Ｆ１或いは人差し指Ｆ２で下方に軽く押し付けて字を書くが、書いた後は、親指Ｆ１或いは人差し指Ｆ２を鉛筆から放すと、伸縮性を有する細幅ベルトの捻りモーメントが働き鉛筆は瞬時に紙面から容易に離れる。
従って、筆記用具Ｐの先の紙離れがよく、いわゆる切れの良い字が書き易い。
【００２９】
ところで、筆記用具Ｐは、親指Ｆ１を第１指用ループ部１の指挿入穴Ｈ１に入れ、人差し指Ｆ２を第２指用ループ部２の指挿入穴Ｈ２に入れた後、筆記用具用ループ部３の筆記用具挿入穴Ｈ３に入れるが、特段、この方法に限らない。
すなわち、先に、鉛筆を筆記用具用ループ部３に入れ、その状態で後、第１指用ループ部１の指挿入穴Ｈ１及び、第２指用ループ部２の指挿入穴Ｈ２に、親指Ｆ１及び人差し指Ｆ２をそれぞれ入れることも可能である。
【００３０】
（第２使用態様）
この実施の形態は、指装着用筆記用具ホルダーＡを指に装着して使用する場合の別の例を示す。
この場合は、図６に示すように、指装着用筆記用具ホルダーＡを図５の場合と逆に、筆記用具用ループ部３を第１指用ループ部１及び第２指用ループ部２より下にして装着使用するものである。
図７は、指装着用筆記用具ホルダーＡを指に装着した状態を示す図である。
この場合も、まず、親指Ｆ１を第１指用ループ部１の指挿入穴Ｈ１に入れ、人差し指Ｆ２を第２指用ループ部２の指挿入穴Ｈ２に入れる。
これで指装着用筆記用具ホルダーＡが手に装着された状態となり、その後、鉛筆を筆記用具用ループ部３に入れて取り付けるのである。
【００３１】
前述の図５の場合と異なるのは、指装着用筆記用具ホルダーＡを手に装着した場合、図５の場合より鉛筆の保持する位置が下がるので、紙面に対して鉛筆のなす傾斜角が小さくなることである。
効果としては、同じように、鉛筆を中指と親指Ｆ１と人差し指Ｆ２で容易に摘むことができ、力が弱くても確実に鉛筆を保持できる利点がある。
尚、鉛筆は、親指Ｆ１を第１指用ループ部１の指挿入穴Ｈ１に入れ、人差し指Ｆ２第２指用ループ部２の指挿入穴Ｈ２に入れた後、筆記用具用ループ部３の筆記用具挿入穴Ｈ３に入れるが、先に、鉛筆を筆記用具用ループ部３に入れ、その後、親指Ｆ１及び人差し指Ｆ２を第１指用ループ部１及び、第２指用ループ部２に入れることも可能である。
このように第２使用態様の使用の仕方においては、筆記用具Ｐを寝かせぎみにして書く人に適している。
【００３２】
（他の実施の形態）
上述したような第１指用ループ部１、第２指用ループ部２、筆記用具用ループ部３を形成する細幅ベルトは、飾りのあるものを使うことで指装着用筆記用具ホルダーＡに装飾性が付与される。
例えば、細幅ベルトの適宜箇所に装飾部５を設けることも好ましい。
図８（Ａ）のように、筆記用具用ループ部３にリボンを付けると、書いている最中、恰も鉛筆にリボンが飾られているように視認される。
また図８（Ｂ）のように第１指用ループ部１と第２指用ループ部２にリボンを付けると指にリボンが飾られているように視認される。
【００３３】
以上、本考案を説明してきたが、本考案はその本質に変更のない限り、実施の形態のみに限定されるものではなく多様な変形例が可能である。
例えば、第１指用ループ部１、第２指用ループ部２、筆記用具用ループ部３を形成する細幅ベルトとしては、ゴムチューブ、弾性布ベルト、弾性編みベルト等のように弾性を有し、指や鉛筆を弾圧的に保持できるものであれば、当然採用可能である。
【００３４】
また例えば、第１指用ループ部１、第２指用ループ部２、筆記用具用ループ部３を形成するには、前述したように、糸を使った縫合や接着剤によりそれらの根元部を固定するが、図９は、その根元部付近の結合状態を説明する図である。
（Ａ）は、第１指用ループ部１の根元部、第２指用ループ部２の根元部、筆記用具用ループ部３の根元部を縫合した例、
（Ｂ）は、第１指用ループ部１の根元部、筆記用具用ループ部３の根元部を縫合した例、
（Ｃ）は、第２指用ループ部２の根元部、筆記用具用ループ部３の根元部を縫合した例、
（Ｄ）は、第１指用ループ部１の根元部、第２指用ループ部２の根元部を縫合した例、
（Ｅ）は、第１指用ループ部１の根元部、第２指用ループ部２の根元部、筆記用具用ループ部３の根元部を接着剤で接着固定した例、
（Ｆ）は、第１指用ループ部１の根元部、第２指用ループ部２の根元部、筆記用具用ループ部３の根元部を接着剤で塊状にして接着固定した例、である。
【産業上の利用可能性】
【００３５】
本考案は、指に装着した状態で筆記用具をホールドするための指装着用筆記用具ホルダーであり、指挿入穴を有する第１指用ループ部及び第２指用ループ部と、筆記用具挿入穴を有する筆記用具用ループ部とを備え、これら第１指用ループ部、第２指用ループ部、及び筆記用具用ループ部が伸縮性を有するものであるので、２本の指と筆記用具とが確実に保持され、且つ構造もシンプルで、製造コストも安い。
介護用、医療用等の広い分野に適用可能である。
【符号の説明】
【００３６】
１・・・第１指用ループ部
２・・・第２指用ループ部
３・・筆記用具用ループ部
４・・・根元部
５・・・装飾部（リボン）
Ａ・・指装着用筆記用具ホルダーＦ１・・親指（指）
Ｆ２・・人差し指（指）
Ｐ・・・筆記用具（鉛筆）
Ｈ１・・指挿入穴
Ｈ２・・指挿入穴
Ｈ３・・筆記用具挿入穴
Ｒ・・・接着剤
Ｒ１・・・接着剤の塊
【図１】
0003180938.tif 000003
【図２】
0003180938.tif 000004
【図３】
0003180938.tif 000005
【図４】
0003180938.tif 000006
【図５】
0003180938.tif 000007
【図６】
0003180938.tif 000008
【図７】
0003180938.tif 000009
【図８】
0003180938.tif 000010
【図９】
0003180938.tif 000011